(57)【要約】  ＰＥＴ装置とＭＲＩ装置を組合せたＰＥＴ／ＭＲＩ複合機において、ＰＥＴ対象視野の少なくとも一部が、外部からアクセス可能な開放空間とされたオープンＰＥＴ装置と、ＭＲＩ対象視野の少なくとも一部が、外部からアクセス可能な開放空間とされたオープンＭＲＩ装置とを備え、前記ＰＥＴ対象視野の開放空間と前記ＭＲＩ対象視野の開放空間の少なくとも一部が重複するようにする。これにより、外部からアクセス可能な同一の開放空間を、ＰＥＴ装置とＭＲＩ装置で同時に計測・画像化して、機能情報と形態情報を同時に取得することが可能となる。
2010103644.tif 000002
【特許請求の範囲】
【請求項１】
ＰＥＴ装置とＭＲＩ装置を組合せたＰＥＴ／ＭＲＩ複合機において、
ＰＥＴ対象視野の少なくとも一部が、外部からアクセス可能な開放空間とされたオープンＰＥＴ装置と、
ＭＲＩ対象視野の少なくとも一部が、外部からアクセス可能な開放空間とされたオープンＭＲＩ装置とを備え、
前記ＰＥＴ対象視野の開放空間と前記ＭＲＩ対象視野の開放空間の少なくとも一部が重複するようにしたことを特徴とするオープンＰＥＴ／ＭＲＩ複合機。
【請求項２】
前記オープンＭＲＩ装置の一方の静磁場コイル内に前記オープンＰＥＴ装置の一方の検出器リングを配設した複合リングの二つを、外部からアクセス可能な開放空間を挟んで対面するように配設し、該開放空間でＰＥＴ対象視野とＭＲＩ対象視野を重複させたことを特徴とする請求項１に記載のオープンＰＥＴ／ＭＲＩ複合機。
【請求項３】
前記複合リング内に進入可能なベッドにＭＲＩ用のＲＦコイルを固定もしくは移動できるように配設し、ＲＦコイル及び／又はベッドを移動して該ＲＦコイルを前記開放空間に進入させることにより、前記ＰＥＴ対象視野とＭＲＩ対象視野を重複させたことを特徴とする請求項２に記載のオープンＰＥＴ／ＭＲＩ複合機。
【請求項４】
前記ＲＦコイルを前記ベッドに対しその長手方向に移動させることで、ＭＲＩ対象視野の位置を調整可能としたことを特徴とする請求項３に記載のオープンＰＥＴ／ＭＲＩ複合機。
【請求項５】
前記開放空間に作業ユニットを配設したことを特徴とする請求項１乃至４のいずれかに記載のオープンＰＥＴ／ＭＲＩ複合機。
【請求項６】
前記作業ユニットを、前記開放空間に進退可能に配設したことを特徴とする請求項５に記載のオープンＰＥＴ／ＭＲＩ複合機。
【請求項７】
前記作業ユニットが、画像取得ユニット、照射装置又は汎用型介入治療ユニットのいずれか、あるいは、それらの組み合わせであることを特徴とする請求項５又は６に記載のオープンＰＥＴ／ＭＲＩ複合機。
【請求項８】
前記汎用型介入治療ユニットが、自動穿刺装置、電磁波焼灼治療針、腹腔内視鏡の少なくともいずれか一つを含む請求項７に記載のオープンＰＥＴ／ＭＲＩ複合機。
【請求項９】
同一視野を同時に３つ以上のモダリティで画像化することを特徴とする請求項５乃至８のいずれかに記載のオープンＰＥＴ／ＭＲＩ複合機。
【請求項１０】
前記作業ユニットで作業する前後でＰＥＴ及び／あるいはＭＲＩ画像を少なくとも一度ずつ取得することを特徴とする請求項５乃至９のいずれかに記載のオープンＰＥＴ／ＭＲＩ複合機。
【請求項１１】
前記作業ユニットでの作業前に取得したＰＥＴ画像で特定したターゲット位置を、同時に取得したＭＲＩ画像上にマーキングし、該マーキングを作業ユニットでの作業後に取得したＰＥＴ及び／あるいはＭＲＩ画像に表示することを特徴とする請求項５乃至１０のいずれかに記載のオープンＰＥＴ／ＭＲＩ複合機。
【発明の詳細な説明】
【技術分野】
【０００１】
本発明は、ＰＥＴ装置とＭＲＩ装置を組み合わせたＰＥＴ／ＭＲＩ複合機に係り、特に、外部からアクセス可能な同一の開放空間を、ＰＥＴ装置とＭＲＩ装置で同時に計測・画像化して、生体機能情報と形態情報を同時に取得することが可能なオープンＰＥＴ／ＭＲＩ複合機に関する。
【背景技術】
【０００２】
ＰＥＴは、陽電子放出核種で標識した化合物を投与して、その体内分布を断層像として画像化する方法である。Ｘ線ＣＴやＭＲＩで得られる断層像は形態情報であるのに対して、ＰＥＴ画像は生体機能情報を表す機能画像と言われ、たとえば腫瘍検出を高感度で行えるが、位置が不明確である。よって、ＰＥＴ画像に正確な位置的情報を付加するためには、位置は明確であるが、感度と検出力が低いＸ線ＣＴ画像やＭＲＩ画像とＰＥＴ画像を重ね合わせる必要があるが、重ね合わせや撮影の効率化を図るために、ＰＥＴ装置とＸ線ＣＴ装置を合体させたＰＥＴ／ＣＴ装置が普及している。【０００３】
しかし、通常、Ｘ線ＣＴによる被曝量は、ＰＥＴによる被爆量を上回ることから、被曝の心配のないＭＲＩとの複合機の開発が進められている（Ciprian Catana et al．“ Simultaneous Acquisition of Multislice PET and MR Images：Initial Results with a MR-Compatible PET Scanner” The Journal of Nuclear Medicine，Vol.47，No.12，December  2006  pp1968−1976  参照）。【０００４】
このＰＥＴ／ＭＲＩ複合機によれば、機能情報と形態情報を融合して、高感度且つ正確な位置情報が得られる。ｆＭＲＩに代表されるように、ＭＲＩでも一部の生体機能を画像化する技術も進んでおり、ＰＥＴ／ＭＲＩ複合機は、ＰＥＴによる機能画像をＭＲＩによる機能画像を同時に取得することも可能になる。しかし、いずれの場合も視野が開放されていないため、被検者が受ける精神的ストレスが大きいほか、介入的な治療が困難である。【０００５】
一方、開放空間のＭＲＩ画像を取得するオープンＭＲＩ装置が開発され発売されている（Joshua Lilienstien et al．“In Vivo Sonography Through an Open MRI Breast Coil to Correlate Sonographic and MRI Findings”AJR：184，March  2005  s49−52，Hiroshi Iseki et al．“Intelligent Operating Theater Using Intraoperative Open−MRI”Magnetic Resonance in Medical Sciences，Vol.4，No.3，p.129−136，2005，Junta Harada et al．“Initial Experience of Percutaneous Renal Cryosurgery under the Guidance of a Horizontal Open MRI System”Radaiation Medicine，Vol.19，No.6，291−296 p.p．，2001， DiMaio SP et al．“Robot-assisted needle placement in open MRI：system architecture，integration and validation”Comput Aided Surg．2007 Jan；12(1)：15-24，DiMaio SP et al．“Robot-assisted needle placement in open MRI：system architecture，integration and validation”Stud Health Technol Inform．2006；119：126-31  参照）。【０００６】
このオープンＭＲＩ装置は、ＭＲＩの高い空間分解能や非侵襲性を活かし、ＭＲＩガイド下での治療に活用されている。これまで、断層撮影装置において開放空間の画像化が可能なモダリティはＭＲＩのみに限られてきたが、出願人は、治療中でもＰＥＴ診断を可能にする開放型のＰＥＴ装置を提案している（Ｔaiga  Ｙamaya，Ｔaku  Ｉnaniwa，Ｓhinichi  Ｍinohara，Ｅiji  Ｙoshida，Ｎaoko  Ｉnadama，Ｆumihiko  Ｎishikido，Ｋengo  Ｓhibuya，Ｃhih  Ｆung  Ｌam  and  Ｈideo  Ｍurayama，“Ａproposal  of  an  open  ＰＥＴ  geometry，”Ｐhy．Ｍed．Ｂiol．，53，pp．757-773，2008．）。これは、体軸方向に２分割した検出器リングを離して配置し、相互のリング間の同時計数線で放射線を検出することによって、検出リング間の開放空間の画像化を可能にする方法である。【０００７】
しかしながら、ＰＥＴ装置だけでは形態情報が得られないという問題点を有していた。
【発明の開示】
【０００８】
本発明は、前記従来の問題点を解消するべくなされたもので、外部からアクセス可能な同一の開放空間を、ＰＥＴとＭＲＩで同時に計測・画像化して、機能情報と形態情報を同時に取得できるようにすることを課題とする。
【０００９】
本発明は、ＰＥＴ装置とＭＲＩ装置を組合せたＰＥＴ／ＭＲＩ複合機において、ＰＥＴ対象視野の少なくとも一部が、外部からアクセス可能な開放空間とされたオープンＰＥＴ装置と、ＭＲＩ対象視野の少なくとも一部が、外部からアクセス可能な開放空間とされたオープンＭＲＩ装置とを備え、前記ＰＥＴ対象視野の開放空間と前記ＭＲＩ対象視野の開放空間の少なくとも一部が重複するようにして、前記課題を解決したものである。
【００１０】
ここで、前記オープンＭＲＩ装置の一方の静磁場コイル内に前記オープンＰＥＴ装置の一方の検出器リングを配設した複合リングの二つを、外部からアクセス可能な開放空間を挟んで対面するように配設し、該開放空間でＰＥＴ対象視野とＭＲＩ対象視野を重複させることができる。
【００１１】
又、前記複合リング内に進入可能なベッドにＭＲＩ用のＲＦコイルを固定もしくは移動できるように配設し、ＲＦコイル及び／又はベッドを移動して該ＲＦコイルを前記開放空間に進入させることにより、前記ＰＥＴ対象視野とＭＲＩ対象視野を重複させることができる。
【００１２】
又、前記ＲＦコイルを前記ベッドに対しその長手方向に移動させることで、ＭＲＩ対象視野の位置を調整可能とすることができる。
【００１３】
又、前記開放空間に作業ユニットを配設することができる。
【００１４】
又、前記作業ユニットを、前記開放空間に進退可能に配設することができる。
【００１５】
又、前記作業ユニットを、画像取得ユニット、照射装置又は汎用型介入治療ユニットのいずれか、あるいは、それらの組み合わせとすることができる。
【００１６】
又、前記汎用型介入治療ユニットは、自動穿刺装置、電磁波焼灼治療針、腹腔内視鏡の少なくともいずれか一つを含むことができる。
【００１７】
又、同一視野を同時に３つ以上のモダリティで画像化することができる。
【００１８】
又、前記作業ユニットで作業する前後でＰＥＴ及び／あるいはＭＲＩ画像を少なくとも一度ずつ取得することができる。
【００１９】
又、前記作業ユニットでの作業前に取得したＰＥＴ画像で特定したターゲット位置を、同時に取得したＭＲＩ画像上にマーキングし、該マーキングを作業ユニットでの作業後に取得したＰＥＴ及び／あるいはＭＲＩ画像に表示することができる。
【００２０】
本発明によれば、外部からアクセス可能な同一の開放空間を、ＰＥＴ装置とＭＲＩ装置で同時に計測・画像化して、機能情報と形態情報を同時に取得することが可能となる。従って、利用価値の大きい開放空間を得ることができる。
【００２１】
例えば、治療とＰＥＴ／ＭＲＩ診断を融合させ、ＭＲＩで位置を確認するのと同時に、ＰＥＴで生体機能を診断しながら、リアルタイムで介入治療を行うことができる。組合せの可能な治療方法としては、従来の放射線治療に加え、超音波焼灼針、穿刺、穿刺焼灼針、超音波による音響化学療法（ＳＤＴ）、レーザによる光化学療法（ＰＤＴ）、温熱、放射線トリガ、ＲＦトリガなどが考えられる。
【００２２】
また、ＰＥＴ／ＭＲＩ装置による頭部の診断の際、長いトンネル状の患者ポートが被検者に与える心理的ストレスは大きいが、本発明によれば、開放空間を同時にＰＥＴとＭＲＩで計測できるため、被検者に与えるストレスを大幅に低減できる。
【００２３】
更に、医師や技師にとって、開放型装置は、被検者へのアクセスが容易になり、容態チェックを容易に行うことができる。特に、脳研究分野などにおいて、例えば視覚刺激に対する応答をＰＥＴやＭＲＩで調べることがあるが、開放空間があることによって実験が容易になる。
【００２４】
更に、開放空間に第三の診断装置などを設置することによって、同一視野を同時に３つの以上のモダリティで画像化することが可能となる。第三の診断装置としては、例えば超音波装置、ＳＰＥＣＴ装置、蛍光イメージャ、光学カメラ、光ＣＴ装置などが考えられる。
【図面の簡単な説明】
【００２５】
【図１】本発明の第１実施形態の全体構成を示す、側面図及び正面図を含むブロック図
【図２】第１実施形態及びその変形例の要部構成を示す斜視図
【図３】本発明の第２実施形態の全体構成を示す、側面図及び正面図を含むブロック図
【図４】本発明の第３実施形態の要部構成を示す側面図及び正面図
【図５】本発明の第４実施形態の要部構成を示す、側面図及び正面図を含むブロック図
【図６】本発明の第５実施形態の要部構成を示す側面図及び正面図
【図７】本発明の第６実施形態の全体構成を示す、側面図及び正面図を含むブロック図
【図８】第６実施形態の汎用型介入治療ユニットの構成を示すブロック図
【図９】本発明による診断／治療手順の一例を示すフローチャート
【図１０】本発明による診断／治療手順の他の例を示すフローチャート
【図１１】本発明による診断／治療手順の変形例を示すフローチャート
【発明を実施するための最良の形態】
【００２６】
以下図面を参照して、本発明の実施形態を詳細に説明する。【００２７】
本発明の第１実施形態は、図１に示す如く、ダブルドーナツ型といわれる被検者８の体軸方向に離隔した２つの静磁場コイル２２、２４を有するオープンＭＲＩ装置２０において、両側の患者ポート内に、それぞれ耐磁性のＰＥＴ検出器リング３２と３４を配設して複合リング４２、４４としたものである。離隔して対面する二つの複合リング４２、４４間の空間が両者の重複する開放空間となる。図において、１２は、ベッド１０の架台、２６はＭＲＩ画像化装置、３６はＰＥＴ計測用の同時計数回路、３８はＰＥＴ画像化装置、４０は、前記ＭＲＩ画像化装置２６で得られる形態画像と前記ＰＥＴ画像化装置３８で得られる機能画像を重ね合わせて表示する複合画像表示装置である。【００２８】
このような構成において、ＰＥＴ検出器リング３２と３４の同時計数線で放射線を計測することによって、ＭＲＩ装置と同じ開放空間をＰＥＴで画像化することができる。この開放空間には画像取得ユニット、照射装置及び汎用型介入治療ユニット等の作業ユニットを配設することができる。ＰＥＴ検出器リング３２自体での同時計数及びＰＥＴ検出器リング３４自体での同時計数も行えば、開放空間も含め、体軸方向に長い視野をＰＥＴで画像化できる。【００２９】
なお図１においては、図２（Ａ）に示す如く、静磁場コイル２２、２４内にＰＥＴ検出器リング３２、３４がそれぞれ設けられた複合リング４２、４４が、被検者８の体軸方向に離隔して配設されていたが、システム構成はこれに限定されず、図２（Ｂ）に示す如く、対面する複合リング４２、４４を被検者の体軸と直交する方向に離隔して配設したり、図２（Ｃ）に示す如く、ハンバーガー型のオープンＭＲＩ装置５０の開放空間に、円形のＰＥＴ検出器リング３２、３４を被検者８の体軸方向に離隔して配置したり、あるいは図２（Ｄ）に示す如く、ハンバーガー型のオープンＭＲＩ装置５０の開放空間に、楕円形のＰＥＴ検出器リング５２、５４を被検者８の体軸方向に離隔して配設することも可能である。【００３０】
図２（Ａ）の例によれば、被検者の頭部にアクセス容易であり、又、図２（Ｄ）の例によれば、ＭＲＩ装置５０の静磁場コイル２２、２４間の間隔を小さくして、装置を小型化することができる。【００３１】
次に図３を参照して、本発明の第２実施形態を詳細に説明する。【００３２】
本実施形態は、ベッド１０にＭＲＩ用のＲＦコイル６０を固定もしくは移動できるように配設し、ＲＦコイル６０及び／又はベッド１０を被検者８の対軸方向に移動して該ＲＦコイル６０を開放空間内に進入させることにより、ＰＥＴ対象視野とＭＲＩ対象視野を重複させたものである。ＲＦコイルは、患部を囲む円筒枠状の構造が一般的であるが、通常多くの隙間を有しており、患部へのアクセスを制限するものではない。【００３３】
本実施形態によれば、ＲＦコイル６０及び／又はベッド１０を被検者８の対軸方向に移動させることで、ＭＲＩ画像の視野位置を調整することが可能となる。【００３４】
前記第１実施形態において、作業ユニットとして腹腔内視鏡装置６２の検査用チューブ６４を開放空間に挿入して、腹腔内視鏡による被検者８の検査／治療を行っている例を図４に示す。【００３５】
ここで、腹腔鏡あるいは内視鏡の検査および治療は、皮膚等を微小に切開し、検査用チューブ６４を挿入する腹腔鏡あるいは血管内視鏡による検査および附随する治療、鼻腔や口腔等の開口部から、検査用チューブ６４を挿入する内視鏡による検査および附随する治療であり、検査者が手動で行う検査および治療に加え、機械的に自動または半自動で実施する検査および附随する治療を含むことができる。【００３６】
同じく第１実施形態を用いて、開放空間から作業ユニットとして自動穿刺装置６６の針６８を被検者８に挿入している例を図５に示す。【００３７】
ここで、穿刺検査および治療は、皮膚等から、針６８状の検査用チューブあるいは治療器具を刺入して実施する検査および附随する治療で、生体組織検査、腫瘍の焼灼治療、腫瘍治療薬の局所投与、ラジオ波治療等を含む。検査者が手動で行う検査および治療に加え、機械的に自動または半自動で実施する検査および附随する治療を含むことができる。【００３８】
図５の例では、ＭＲＩとＰＥＴの両方の開放空間が一致する場所に自動穿刺装置６６を固定する。この自動穿刺装置６６には、図示しないデジタルビデオカメラ、照明、針６８の駆動装置、薬液注入装置、電磁波による加熱装置、組織採取装置（バイオプシ）などが搭載されている。【００３９】
ＭＲＩ装置２０によって得られたＭＲＩ画像、ＰＥＴ装置（３２、３４）によって得られたＰＥＴ画像、及び、自動穿刺装置６６に設置されたカメラの映像が画像処理装置７０に送られ、生体内の目的部位に自動的且つ正確に針を刺すように駆動装置を制御する。この際、ＭＲＩの解剖学的画像情報、血管造影画像情報、温度画像情報、水分子拡散画像情報など、ＰＥＴによる腫瘍の位置画像情報、悪性度画像情報など、デジタルビデオカメラによる皮膚表面の刺入位置情報、体の傾き情報などが、針先が到達する三次元的な位置の把握に利用され、精密に制御される。【００４０】
被検者８に刺入された針６８の先端からは、必要に応じて、薬液や電磁波などの放出による治療が行われるか、あるいは、必要な組織が採取される。治療結果や採取された組織による治療法は、再びＭＲＩとＰＥＴで撮像・処理され、必要に応じて更なる治療が繰り返される。【００４１】
なお、自動穿刺装置６６は、自動バイオプシ装置、自動手術装置などであっても良い。ここで、手術による治療は、皮膚などを切開して実施する各種外科的な検査および手術治療で、手術者が手動で行う検査および治療に加え、機械的に自動または半自動で実施する検査および附随する治療を含むことができる。【００４２】
このような治療は、ＰＥＴとＭＲＩの両方がオープンであればこそ実施可能である。【００４３】
前記第１実施形態を用いて、開放空間から作業ユニットとして画像取得ユニットや照射装置７２を挿入して各種画像取得あるいは照射を行っている例を図６に示す。【００４４】
近年、腫瘍を選択して放射線治療を行う複数の原体照射法（重粒子線照射治療法、陽子線照射治療法、ＩＭＲＴなど）が開発され、注目されている。正常部位への障害を抑え、患部に集中的に照射できる手法であるが、同時に、照射領域を正確に設定する必要が出てくる。【００４５】
本発明によるオープンＰＥＴ／ＭＲＩは、照射直前の最終治療計画に際して、ＭＲＩによる正確な腫瘍マージンの確認を可能にする。また、ＰＥＴによる腫瘍内の低酸素領域や活動領域の把握により、被照射部の線量バランスを繊細に調整することができる。従来は、治療計画を別の日にＣＴなどで行っているが、この場合、詳細な情報は得られず、位置ずれのリスクもある。【００４６】
更に、オープンＰＥＴ／ＭＲＩによれば、照射中においても、特定のＭＲＩ測定法やＰＥＴリガンド、ＰＥＴ自己放射化測定により、治療計画通りに実際の照射領域が設定されているか確認でき、迅速な照射アクセスメントが可能となる。従来は、数ヵ月後に出る放射線障害から類推する程度しかできていない。【００４７】
その他、原体照射では３６０度の広い照射角度が必要とされる場合が多いが、オープンＰＥＴ／ＭＲＩのデザインは、正にその使用に適している。【００４８】
あるいは、画像取得ユニットを用いて、生体表面あるいは生体内の画像を取得することもできる。その中には、可視光カメラやビデオ、可視光による光学的計測、赤外あるいは近赤外光カメラ、Ｘ線ＣＴ、単純Ｘ線画像、Ｘ線ビデオカメラ、蛍光および発光イメージング、光コヒーレンストモグラフィ、超音波画像プローブ、レーザースキャナ、ＭＲＩ用高周波コイル等を含むことができる。【００４９】
又、照射または加温による治療は、皮膚表面あるいは離れた部位から、電磁波、音波、超音波、振動、熱等を与えることで実施する検査および附随する治療で、赤外線、近赤外線、可視光線、Ｘ線、ガンマ線、各種粒子線、音波および超音波、振動、熱などの照射による検査および治療を含むことができる。加えて、これらの照射を引き金として実施される投薬治療および検査を含むこともできる。【００５０】
前記第１実施形態において、開放空間に、作業ユニットとして自動穿刺制御装置８２の他、焼灼針制御装置８４、内視鏡制御装置８６などが接続された汎用型介入治療ユニット８０を設けた例を図７に示す。この例では、画像処理装置７０が、汎用型介入治療ユニット８０の制御データを生成して、検査用チューブ６４、針６８等をフィードバック制御する。【００５１】
図８は、図７の制御の詳細を示すブロック図であり、汎用型介入治療ユニット８０には、自動穿刺制御装置８２、焼灼針制御装置８４、内視鏡制御装置８６などとのインターフェースとしての接続部８０Ａ、駆動制御・電磁波照射制御・光Ａ／Ｄ変換・画像認識制御などを行う制御部８０Ｂ、穿刺駆動部８０Ｃ、電磁波照射部８０Ｄ、光ファイバ部８０Ｅ等の接続・駆動部が含まれる。【００５２】
図９は、ＭＲＩ画像で位置合せし（ステップ１００、１０２、１０４）、治療（ステップ１０６）後にＰＥＴ及び／又はＭＲＩ診断を行い（ステップ１０８、１１０、１１２）、治療効果の即時判定を行う（ステップ１１４）例の手順を示す流れ図である。【００５３】
図１０は、治療前にＦＤＧ−ＰＥＴで癌位置を特定し、癌治療を行う場合を想定したもので、ＰＥＴはＭＲＩに比べ時間フレームが長いため、ＰＥＴ画像で特定（ステップ２００）したターゲット位置を、同時に取得（ステップ２０２）したＭＲＩ画像上にマーキングし（ステップ２０４）、ＭＲＩガイド化で介入治療装置のターゲットの位置合せを行い（ステップ２０６、２０８）、治療（ステップ１０６）後にＰＥＴ及び／又はＭＲＩ画像診断を行い（ステップ１０８、１１０、１１２）、治療効果の即時判定（ステップ１１４）を行う例の手順を示す流れ図である。【００５４】
図１１は図１０のＰＥＴ及び／又はＭＲＩ画像診断を行う工程（ステップ１０８，１１０）と形態的・機能的診断工程（ステップ１１２）の間に、ステップ２０４で行ったマーキングをＰＥＴ及び／又はＭＲＩ画像に表示する工程（ステップ１１１）を追加したものである。これにより時間をおいて画像化した同一部位の変化を正確に確認することができる。【００５５】
図９〜図１１のいずれも、ＰＥＴ撮影・画像化処理（ステップ１０８、２００）とＭＲＩ撮影・画像化処理（ステップ１１０、２０２）の逆の順でも良い。図９では、ＭＲＩ撮影・画像化処理１１０を省略して、ステップ１０８のＰＥＴ画像のみによる診断でも良い。また図１０では、ＰＥＴ撮影・画像化処理１０８とＭＲＩ撮影・画像化処理１１０のいずれか一方を省略しても良い。【００５６】
更に、ステップ１１４で治療が完了していないと判定された時は、ステップ１１６で治療再計画が必要か判定し、必要なければ、ステップ１０６に戻って、同じ治療計画で治療を繰返し、治療再計画が必要ならば、治療計画をやり直す。【００５７】
なお、前記説明においては、ＰＥＴ検出器リングの数が２つとされていたが、ＰＥＴ検出器リングの数は３以上であっても良い。【００５８】
又、テレビやコンピュータ等の視覚のためのディスプレイ、音響機器、臭気発生装置あるいはチューブ、皮膚を刺激する装置、味覚を刺激する装置、脈拍・血圧・心電図・呼吸・血液成分など各種の生体情報を取得および分析する装置を開放空間に設置し、それらに附随する治療を行うこともできる。【００５９】
作業ユニットは、既知の技術を用いて開放空間に進退可能に配設し、作業が必要でないときは退避させることで、外部から完全にアクセス可能なように開放空間を開放させることができる。
【産業上の利用の可能性】
【００６０】
本発明は、ＰＥＴ装置とＭＲＩ装置を組み合せたＰＥＴ／ＭＲＩ複合機一般に適用して、外部からアクセス可能な同一の開放空間の機能情報と形態情報を同時に取得でき、治療等に適した利用価値の大きい開放空間を得ることができる。
【図１】
2010103644.tif 000003
【図２】
2010103644.tif 000004
【図３】
2010103644.tif 000005
【図４】
2010103644.tif 000006
【図５】
2010103644.tif 000007
【図６】
2010103644.tif 000008
【図７】
2010103644.tif 000009
【図８】
2010103644.tif 000010
【図９】
2010103644.tif 000011
【図１０】
2010103644.tif 000012
【図１１】
2010103644.tif 000013
【国際調査報告】
2010103644.tif 000014
2010103644.tif 000015
2010103644.tif 000016
2010103644.tif 000017